(57)【要約】【課題】プリント基板の作成にともなう開発費や製造費などの諸費用の発生を抑制し、かつ、ＥＭＣの問題の発生を抑止する。【解決手段】プリント基板における電源ネットまたはＧＮＤネットが形成するパターンのループ形状を評価するためのプリント基板におけるパターンのループ形状の計算方法において、電源ネットまたはＧＮＤネットのなかでループを検出する対象となるネットたる対象ネットを選択する第１の処理と、上記第１の処理で選択された対象ネット毎にループ箇所を抽出する第２の処理と、上記第２の処理により抽出されたループ箇所から検出する対象となるループを選択する第３の処理と、上記第３の処理により選択されたループと所定の条件との適合割合を計算する第４の処理とを有するようにした。【選択図】        図３
2007328463.tif 000002
【特許請求の範囲】
【請求項１】
プリント基板における電源ネットまたはＧＮＤネットが形成するパターンのループ形状を評価するためのプリント基板におけるパターンのループ形状の計算方法において、
電源ネットまたはＧＮＤネットのなかでループを検出する対象となるネットたる対象ネットを選択する第１の処理と、
前記第１の処理で選択された対象ネット毎にループ箇所を抽出する第２の処理と、
前記第２の処理により抽出されたループ箇所から検出する対象となるループを選択する第３の処理と、
前記第３の処理により選択されたループと所定の条件との適合割合を計算する第４の処理と
を有するプリント基板におけるパターンのループ形状の計算方法。
【請求項２】
請求項１に記載のプリント基板におけるパターンのループ形状の計算方法において、さらに、
前記第４の処理の計算結果に応じたガイダンスを表示する第５の処理と
を有するプリント基板におけるパターンのループ形状の計算方法。
【請求項３】
プリント基板における電源ネットまたはＧＮＤネットが形成するパターンのループ形状を評価するためのプリント基板におけるパターンのループ形状の計算装置において、
電源ネットまたはＧＮＤネットのなかでループを検出する対象となるネットたる対象ネットを選択するネット選択手段と、
前記ネット選択手段で選択された対象ネット毎にループ箇所を抽出するループ抽出手段と、
前記ループ抽出手段により抽出されたループ箇所から検出する対象となるループを選択するループ選択手段と、
前記ループ選択手段により選択されたループと所定の条件との適合割合を計算する計算手段と
を有するプリント基板におけるパターンのループ形状の計算装置。
【請求項４】
請求項３に記載のプリント基板におけるパターンのループ形状の計算装置において、さらに、
前記計算手段の計算結果に応じたガイダンスを表示する表示手段と
を有するプリント基板におけるパターンのループ形状の計算装置。
【請求項５】
プリント基板における電源ネットまたはＧＮＤネットが形成するパターンのループ形状を評価するためのプリント基板におけるパターンのループ形状の計算を、コンピュータに実行させるためのプログラムを記録したコンピュータ読み取り可能な記録媒体において、
電源ネットまたはＧＮＤネットのなかでループを検出する対象となるネットたる対象ネットを選択する第１の処理と、
前記第１の処理で選択された対象ネット毎にループ箇所を抽出する第２の処理と、
前記第２の処理により抽出されたループ箇所から検出する対象となるループを選択する第３の処理と、
前記第３の処理により選択されたループと所定の条件との適合割合を計算する第４の処理と
を、コンピュータに実行させるためのプログラムを記録したコンピュータ読み取り可能な記録媒体。
【請求項６】
請求項５に記載のコンピュータに実行させるためのプログラムを記録したコンピュータ読み取り可能な記録媒体において、さらに、
前記第４の処理の計算結果に応じたガイダンスを表示する第５の処理と
を、コンピュータに実行させるためのプログラムを記録したコンピュータ読み取り可能な記録媒体。
【請求項７】
プリント基板における電源ネットまたはＧＮＤネットが形成するパターンのループ形状を評価するためのプリント基板におけるパターンのループ形状の計算装置に用いるプログラムであって、
コンピュータを、
電源ネットまたはＧＮＤネットのなかでループを検出する対象となるネットたる対象ネットを選択するネット選択手段、
前記ネット選択手段で選択された対象ネット毎にループ箇所を抽出するループ抽出手段、
前記ループ抽出手段により抽出されたループ箇所から検出する対象となるループを選択するループ選択手段、
前記ループ選択手段により選択されたループと所定の条件との適合割合を計算する計算手段
として機能させるためのプログラム。
【請求項８】
請求項７に記載のプログラムにおいて、さらに、
コンピュータを、
前記計算手段の計算結果に応じたガイダンスを表示する表示手段、
として機能させるためのプログラム。
【発明の詳細な説明】
【技術分野】
【０００１】
本発明は、プリント基板におけるパターンのループ形状の計算方法、その装置、コンピューター読み取り可能な記録媒体およびプログラムに関し、さらに詳細には、プリント基板における電源ネットまたはＧＮＤ（ｇｒｏｕｎｄ：グランド）ネットが形成するパターンのループ形状を評価する際に用いて好適なプリント基板におけるパターンのループ形状の計算方法、その装置、コンピューター読み取り可能な記録媒体およびプログラムに関するものであって、特に、プリント基板におけるＥＭＣ（ｅｌｅｃｔｒｏｍａｇｎｅｔｉｃ  ｃｏｍｐａｔｉｂｉｌｉｔｙ：電磁的両立性）対策に利用することのできるプリント基板におけるパターンのループ形状の計算方法、その装置、コンピューター読み取り可能な記録媒体およびプログラムに関するものである。
【背景技術】
【０００２】
従来より、プリント基板におけるパターン、即ち、電源ネットまたはＧＮＤネットが形成するパターンは、プリント基板の外周などにおいて大きなループ形状になることがあり、これがアンテナになってノイズ干渉で問題を生ずることがあった。
【０００３】
例えば、図１に示す例では、プリント基板の外周において、ＧＮＤネットにより形成されるパターンがループ形状を備えている。このため、こうしたプリント基板においては、ＧＮＤネットにより形成されるパターンがアンテナとして機能し、ノイズ干渉を生じさせる恐れがあるものであった。
【０００４】
こうしたことから、一般に、プリント基板の設計に際しては、プリント基板におけるパターン、即ち、プリント基板における電源ネットまたはＧＮＤネットが形成するパターンのループ形状を検査することが行われていた。
【０００５】
ここで、従来のプリント基板の設計においては、プリント基板におけるパターン、即ち、プリント基板における電源ネットまたはＧＮＤネットが形成するパターンのループ形状の検査は、紙面上に描画された電源ネットまたはＧＮＤネットや画面上に表示された電源ネットまたはＧＮＤネットを作業者が目視するという手法により専ら行われていた。
【０００６】
このため、多層基板などにおける複雑化した電源ネットやＧＮＤネットが形成するパターンのループ形状の検査は、その作業が非常に面倒であり手間のかかるものであるとともに間違いも発生しやすいという問題点があった。
【０００７】
また、上記したように作業者による紙面または画面の目視に頼ってプリント基板における電源ネットまたはＧＮＤネットが形成するパターンのループ形状の検査を行っていたため、以下のような問題点の存在も指摘されていた。
【０００８】
即ち、ループ形状の発見のために複数回の検図を行うことにより作業時間が長時間に及び、そのため作業効率が非効率となるという問題点や、検図でループ形状を発見したとしても、パターン修正方法が区々であるため統一的な修正を行うことが困難であるという問題点などがあった。
【０００９】
このため、結果的に作業者の検図においてループ形状の見落としが発生する恐れが多分にあり、こうしたループ形状の見落としが原因となってＥＭＣの問題を起こしてしまうようになって、基板設計や実機作成のやり直しが度々発生するという問題点があった。
【００１０】
即ち、従来においては、ＥＭＣの問題は実際に基板を試作し実測してはじめて合否が判定できるため、ＥＭＣの問題が生じると、これを解決するまで何度も設計の繰り返しを行う必要があり、開発費や製造費などの諸費用が脹らむ一方であった。
【００１１】
なお、本願出願人が特許出願時に知っている先行技術は、上記において説明したようなものであって文献公知発明に係る発明ではないため、記載すべき先行技術情報はない。
【発明の開示】
【発明が解決しようとする課題】
【００１２】
本発明は、上記したような従来の技術の有する種々の問題点に鑑みてなされたものであり、その目的とするところは、プリント基板の作成にともなう開発費や製造費などの諸費用の発生を抑制し、かつ、ＥＭＣの問題の発生を抑止したプリント基板におけるパターンのループ形状の計算方法、その装置、コンピューター読み取り可能な記録媒体およびプログラムを提供しようとするものである。
【課題を解決するための手段】
【００１３】
上記目的を達成するために、本発明は、プリント基板の設計データを用いて計算処理することによりパターン形状の検出を可能として、プリント基板の作成にともなう開発費や製造費などの諸費用の発生を抑制し、かつ、ＥＭＣの問題の発生を少なく押え込むことができるようにしたものである。
【００１４】
従って、本発明によれば、電源ネットならびにＧＮＤネットのループ形状の抽出と評価を行うことができるようになり、これまで問題となっていた電源ネットやＧＮＤネットのループ形状のアンテナ化によるノイズの発生や機器の誤動作を抑制することができるようになる。
【００１５】
また、本発明によれば、パターン設計後に目視で行っていたパターン検図を省力化することができ、また、検出結果に応じて修正方法をガイダンス表示することも可能となるので、修正時間の短縮化を図ることもできるようになり、従って、ＥＭＣの問題による設計の開発リスクを低減することができるようになる。
【００１６】
即ち、本発明のうち請求項１に記載の発明は、プリント基板における電源ネットまたはＧＮＤネットが形成するパターンのループ形状を評価するためのプリント基板におけるパターンのループ形状の計算方法において、電源ネットまたはＧＮＤネットのなかでループを検出する対象となるネットたる対象ネットを選択する第１の処理と、上記第１の処理で選択された対象ネット毎にループ箇所を抽出する第２の処理と、上記第２の処理により抽出されたループ箇所から検出する対象となるループを選択する第３の処理と、上記第３の処理により選択されたループと所定の条件との適合割合を計算する第４の処理とを有するようにしたものである。
【００１７】
また、本発明のうち請求項２に記載の発明は、本発明のうち請求項１に記載の発明において、さらに、上記第４の処理の計算結果に応じたガイダンスを表示する第５の処理とを有するようにしたものである。
【００１８】
また、本発明のうち請求項３に記載の発明は、プリント基板における電源ネットまたはＧＮＤネットが形成するパターンのループ形状を評価するためのプリント基板におけるパターンのループ形状の計算装置において、電源ネットまたはＧＮＤネットのなかでループを検出する対象となるネットたる対象ネットを選択するネット選択手段と、上記ネット選択手段で選択された対象ネット毎にループ箇所を抽出するループ抽出手段と、上記ループ抽出手段により抽出されたループ箇所から検出する対象となるループを選択するループ選択手段と、上記ループ選択手段により選択されたループと所定の条件との適合割合を計算する計算手段とを有するようにしたものである。
【００１９】
また、本発明のうち請求項４に記載の発明は、本発明のうち請求項３に記載の発明において、さらに、上記計算手段の計算結果に応じたガイダンスを表示する表示手段とを有するようにしたものである。
【００２０】
また、本発明のうち請求項５に記載の発明は、プリント基板における電源ネットまたはＧＮＤネットが形成するパターンのループ形状を評価するためのプリント基板におけるパターンのループ形状の計算を、コンピュータに実行させるためのプログラムを記録したコンピュータ読み取り可能な記録媒体において、電源ネットまたはＧＮＤネットのなかでループを検出する対象となるネットたる対象ネットを選択する第１の処理と、上記第１の処理で選択された対象ネット毎にループ箇所を抽出する第２の処理と、上記第２の処理により抽出されたループ箇所から検出する対象となるループを選択する第３の処理と、上記第３の処理により選択されたループと所定の条件との適合割合を計算する第４の処理とを、コンピュータに実行させるためのプログラムを記録したコンピュータ読み取り可能な記録媒体としたものである。
【００２１】
また、本発明のうち請求項６に記載の発明は、本発明のうち請求項５に記載の発明において、さらに、上記第４の処理の計算結果に応じたガイダンスを表示する第５の処理とをコンピュータに実行させるようにしたものである。
【００２２】
また、本発明のうち請求項７に記載の発明は、プリント基板における電源ネットまたはＧＮＤネットが形成するパターンのループ形状を評価するためのプリント基板におけるパターンのループ形状の計算装置に用いるプログラムであって、コンピュータを、電源ネットまたはＧＮＤネットのなかでループを検出する対象となるネットたる対象ネットを選択するネット選択手段、上記ネット選択手段で選択された対象ネット毎にループ箇所を抽出するループ抽出手段、上記ループ抽出手段により抽出されたループ箇所から検出する対象となるループを選択するループ選択手段、上記ループ選択手段により選択されたループと所定の条件との適合割合を計算する計算手段として機能させるためのプログラムとしたものである。
【００２３】
また、本発明のうち請求項８に記載の発明は、本発明のうち請求項７に記載の発明において、さらに、コンピュータを、上記計算手段の計算結果に応じたガイダンスを表示する表示手段として機能させるようにしたものである。
【発明の効果】
【００２４】
本発明は、以上説明したように構成されているので、プリント基板の作成にともなう開発費や製造費などの諸費用の発生を抑制することができ、かつ、ＥＭＣの問題の発生を抑止することができるようになるという優れた効果を奏する。
【発明を実施するための最良の形態】
【００２５】
以下、添付の図面を参照しながら、本発明によるプリント基板におけるパターンのループ形状の計算方法、その装置、コンピューター読み取り可能な記録媒体およびプログラムの実施の形態の一例を詳細に説明するものとする。
【００２６】
図２には、本発明によるプリント基板におけるパターンのループ形状の計算装置の実施の形態の一例のシステム構成を表すブロック構成図が示されている。
【００２７】
即ち、この本発明によるプリント基板におけるパターンのループ形状の計算装置（以下、単に「計算装置」と適宜に称する。）は、その全体の動作を中央処理装置（ＣＰＵ）１０を用いて制御するように構成されている。
【００２８】
このＣＰＵ１０には、バス１２を介して、ＣＰＵ１０の制御のためのプログラムや後述する各種の情報などを記憶するリードオンリメモリ（ＲＯＭ）やＣＰＵ１０のワーキングエリアとして用いられる記憶領域などを備えたランダムアクセスメモリ（ＲＡＭ）などから構成される内部記憶装置１４と、ＣＰＵ１０の制御に基づいて各種の表示を行うＣＲＴや液晶パネルなどの画面を備えた表示装置１６と、表示装置１６の画面上における任意の位置を指定するマウスなどのポインティングデバイス１８と、任意の文字を入力するためのキーボードなどの文字入力デバイス２０と、ＣＰＵ１０の制御により各種の情報を記憶させることができるとともに記憶した各種の情報を読み出して内部記憶装置１４に転送可能とされたハードディスクなどの外部記憶装置２２とが接続されている。
【００２９】
そして、この計算装置においては、ポインティングデバイス１８ならびに文字入力デバイス２０により入力部ＩＮ（図３を参照する。）が構成されており、表示装置１６により出力部ＯＵＴ（図３を参照する。）が構成されている。
【００３０】
なお、上記したように外部記憶装置２２は各種の情報を記憶しているものであるが、本発明の実施に関連する情報としては、プリント基板の設計データたるレイアウト設計データ、１点アースでつながる異なるネット（電源またはＧＮＤ）をひとつのネットとして処理させるために擬似的に合成するか否かを設定するネット合成可否条件を示す情報、プリント基板の層のなかでループを検出する対象とされない層たる除外層の条件値を示す情報、除外する最大ならびに最小ループサイズ（除外最大最小ループサイズ）を示す情報、許容値（警告、注意）および判定閾値の指定値を示す情報ならびに改善手法のガイダンスを示す情報などが記憶されている。
【００３１】
ここで、ネット合成可否条件とは、上記したように、１点アースでつながる異なるネット（電源またはＧＮＤ）をひとつのネットとして処理させるために、擬似的に合成するか否かを設定する条件であり、ユーザーが当該ネット合成可否条件を示す情報を選択的に入力することができるようになされている。
【００３２】
即ち、ユーザーが、図７（ｃ）に示すように、ポインティングデバイス１８を用いて表示装置１６上に「１点アース接続ＧＮＤの合成考慮」と示されたチェックボックスをチェックするとネット合成可否条件を示す情報がＹＥＳとなり、チェックボックスをチェックしないとネット合成可否条件を示す情報がＮＯとなる。
【００３３】
そして、ネット合成可否条件を示す情報がＹＥＳの場合には、１点アースでつながる異なるネット（電源またはＧＮＤ）をひとつのネットとして合成する。より詳細には、ネット合成可否条件を示す情報がＹＥＳの場合において、基板上に１点アースがないのであれば、合成の対象のネットがないのでネットの合成はできずにネットの合成は行われない。従って、少なくとも基板上に１点アースが存在し、複数のネット、例えば、２つのネットが１点アースでつながる場合に１つのネットとして合成する処理が行われる。
【００３４】
一方、ネット合成可否条件を示す情報がＮＯの場合には、１点アースがあるかないかにかかわらずにネットの合成はしない。
【００３５】
また、除外最大最小ループサイズとは、大きすぎるループならびに小さすぎるループを省くために設定するものであり、ユーザーが文字入力デバイス２０などを用いて任意の数値を入力することにより設定する。
【００３６】
即ち、除外最大ループを設定するにあたっては、検出対象とすべきループの面積（検出ループ面積）Ｘと除外すべきループの最大の面積（指定最大面積）との関係が、「検出ループ面積Ｘ≦指定最大面積」となるように、指定最大面積の値を入力する。なお、実際の入力に際しては、表示装置１６上に「○○ｍｍ２以下は除外」と表示された○○の箇所に、文字入力デバイス２０などを用いて任意の数値を入力することにより行う。
【００３７】
一方、除外最小ループを設定するにあたっては、検出対象とすべきループの面積（検出ループ面積）Ｘと除外すべきループの最小の面積（指定最小面積）との関係が、「指定最小面積≦検出ループ面積Ｘ」となるように、指定最小面積の値を入力する。なお、実際の入力に際しては、表示装置１６上に「○○ｍｍ２以上は除外」と表示された○○の箇所に、文字入力デバイス２０などを用いて任意の数値を入力することにより行う。
【００３８】
ここで、レイアウト設計データは、各種の部品に関する情報である部品情報や各種の部品間の配線状態を示す配線情報などから構成されている。
【００３９】
また、部品情報には、部品の配置位置を示す配置位置情報と、部品の端子に関する情報である端子情報とが含まれている。
【００４０】
一方、配線情報には、部品ピン間の接続情報であるネット情報と、プリント基板を構成している配線の位置情報である配線レイアウト情報とが含まれている。
【００４１】
なお、この実施の形態においては、除外層の条件値とは、層の面積率（ネットでＧＮＤと電源が設定されているもの）を示す値を意味する。ここで、層の面積率とは、対象層のプリント基板面積に対する配線パターンの占有率であり、電源パターンならびにＧＮＤパターンの面積で計算する。
【００４２】
除外層の条件値を設定するにあたっては、層の電源ＧＮＤ面積と基板面積と除外面積比との関係が「層の電源ＧＮＤ面積／基板面積≦除外面積比」となるように、除外面積比の値を入力する。なお、実際の入力に際しては、表示装置１６上に「面積比○○以上は除外」と表示された○○の箇所に、文字入力デバイス２０などを用いて任意の数値を入力することにより行う。
【００４３】
以上の構成において、図３に示すフローチャートを参照しながら、この計算装置によって実行される処理の概要について説明する。
【００４４】
なお、この計算装置においては、入力部ＩＮたるポインティングデバイス１８や文字入力デバイス２０をユーザーが操作することにより、所望の指示を入力することができるようになされている。例えば、ユーザーは、入力部ＩＮたるポインティングデバイス１８や文字入力デバイス２０を操作することにより、外部記憶装置２２からレイアウト設計データの読み出しを指示したり、あるいは、ネット合成可否条件を示す情報、除外層の条件値を示す情報、除外最大最小ループサイズを示す情報、許容値（警告、注意）および判定閾値の指定値を示す情報、改善手法のガイダンスを示す情報などを設定したり、その読み出しを指示したりすることができる。
【００４５】
そして、ユーザーが入力部ＩＮたるポインティングデバイス１８や文字入力デバイス２０を操作して、外部記憶装置２２から上記したレイアウト設計データなどの読み出しを指示すると、レイアウト設計データなどが外部記憶装置２２から読み出されて内部記憶装置１４へ転送される。
【００４６】
そうすると、ＣＰＵ１０は、内部記憶装置１４へ転送されて記憶されたレイアウト設計データなどから所定の情報を読み出して、電源ネットならびにＧＮＤネットのなかでループを検出する対象となるネットたる対象ネットを選定するための対象ネットの選定処理Ａと、対象ネット毎のループ箇所抽出計算処理Ｂと、検出する対象となるループの選定処理Ｃと、許容値の計算処理Ｄと、ループの改善手法のガイダンスの表示処理Ｅとをタイムシェアリングにより並列して同時に実行することになる。
【００４７】
また、その処理の途中結果や最終結果は、出力部ＯＵＴたる表示装置１６に適宜に表示される。
【００４８】
次に、上記した計算装置によって実行される処理について、図４乃至図５に示すフローチャートならびに図６以下の各図を参照しながら詳細に説明する。
【００４９】
即ち、ＣＰＵ１０は、レイアウト設計データから配線情報を読み込み（ステップＳ４０２）、配線情報からネット情報を取得する（ステップＳ４０４）とともに、配線情報から配線レイアウト情報（ステップＳ４０６）を取得する。
【００５０】
また、ＣＰＵ１０は、ネット合成可否条件を示す情報を読み込み（ステップＳ４０８）、除外層の条件値を示す情報を読み込み（ステップＳ４１０）、除外最大最小ループサイズを示す情報を読み込み（ステップＳ４１２）、許容値（警告、注意）および判定閾値の指定値を示す情報を読み込み（ステップＳ４１４）、改善手法のガイダンスを示す情報を読み込む（ステップＳ４１６）。
【００５１】
それから、ステップＳ４０４で取得した配線情報とステップＳ４０６で取得した配線レイアウト情報とを、対象ネット選定処理（ステップＳ４１８）へ送る。
【００５２】
つまり、上記した処理により得られた配線情報と配線レイアウト情報とを用いて、ループを検出する対象となるネットたる対象ネットを選定する対象ネット選定処理（ステップＳ４１８）を行うものであるが、この対象ネット選定処理において用いる配線情報と配線レイアウト情報との読み込みがステップＳ４０４、ステップＳ４０６で行われるものであり、読み込んだ配線情報と配線レイアウト情報とが対象ネット選定処理（ステップＳ４１８）へ送られる。
【００５３】
ここで、ステップＳ４１８の対象ネット選定処理で対象ネットとして選定されるネットは、電源ネットおよびＧＮＤネットである。つまり、ステップＳ４１８においては、基板上でネット属性が「電源」または「ＧＮＤ」として設定されているネットが対象ネットとして選定され、他の信号のネットは対象ネットから除外される（図６参照）。また、対象ネットの選定にあたっては、ライン、面、パットが対象となる。
【００５４】
次に、ステップＳ４０８において読み込んだネット合成可否条件を示す情報がＹＥＳの場合には、ステップＳ４１８において取得した配線情報と配線レイアウト情報とを用いて、ステップＳ４１８で対象ネットとして選定した電源ネット、ＧＮＤネットに１点アースが存在するか否かを判断する（ステップＳ４２０）。このステップＳ４２０で行う判断条件の処理（以下、「１点アース検査」と適宜に称する。）は、異なるネットを同電位ネットのように扱うために行う判断条件の処理である。
【００５５】
そして、上記したステップＳ４２０の１点アース検査において、選定した対象ネットに１点アースが存在すると判断された場合には、１点アースにつながる複数のネットを合成する処理（ステップＳ４２２）を行った後に、配線レイアウトにおいて対象ネットを確定する（ステップＳ４２４）。
【００５６】
一方、上記したステップＳ４２０の１点アース検査において、選定した対象ネットに１点アースが存在しないと判断された場合には、そのままの状態で配線レイアウトにおいて対象ネットを確定する（ステップＳ４２４）。
【００５７】
また、ステップＳ４０８において読み込んだネット合成可否条件を示す情報がＮＯの場合には、ステップＳ４２０およびステップＳ４２２の処理を行うことなしに、ステップＳ４２４の処理を行う。即ち、ステップＳ４０８において読み込んだネット合成可否条件を示す情報がＮＯの場合は、電源ネットまたはＧＮＤネットにおける１点アースの存在の有無にかかわらず、そのままの状態で配線レイアウトにおいて対象ネットを確定する（ステップＳ４２４）。
【００５８】
図７（ａ）に示すレイアウトを用いて具体的に説明すると、図７（ａ）に示すレイアウトにおいては、１つの電源パターンと２つのＧＮＤパターン（ＧＮＤ１およびＧＮＤ２）とがあるが、１点アースが存在するので、ステップＳ４０８において読み込んだネット合成可否条件を示す情報がＹＥＳの場合には、ステップＳ４２０の１点アース検査では１点アースが存在すると判断される。
【００５９】
このため、ステップＳ４２２の処理へ進み、１点アースにつながる２つのＧＮＤパターンであるＧＮＤ１とＧＮＤ２とを合成して疑似ネットを形成する。これら２つのＧＮＤパターンであるＧＮＤ１とＧＮＤ２とを合成した場合における疑似ネットのイメージ図が、図７（ｂ）に示されている。
【００６０】
なお、ユーザーが、図７（ｃ）に示すように、ポインティングデバイス１８を用いて表示装置１６上に「１点アース接続ＧＮＤの合成考慮」と示されたチェックボックスをチェックするとネット合成可否条件を示す情報がＹＥＳとなり、チェックボックスをチェックしないとネット合成可否条件を示す情報がＮＯとなる。
【００６１】
ここで、ステップＳ４２４で確定される対象ネットの内容について各条件毎にまとめて説明しておくと、まず、ネット合成可否条件を示す情報がＹＥＳの場合において、ステップＳ４１８で選定された対象ネットに１点アース接続がなければ、ステップＳ４１８で選定された対象ネットをそのまま対象ネットとして確定する。
【００６２】
一方、ネット合成可否条件を示す情報がＹＥＳの場合において、ステップＳ４１８で選定された対象ネットに１点アース接続があれば、１点アース接続されたネットを合成して１つの疑似ネットを形成し、こうして形成した疑似ネットを合成されないネットともに対象ネットとして確定する（図８参照）。
【００６３】
また、ネット合成可否条件を示す情報がＮＯの場合は、ステップＳ４１８で選定された対象ネットをそのまま対象ネットとして確定する。
【００６４】
こうしてステップＳ４２４において対象ネットを確定すると、確定した対象ネットを構成する図形の面積を取得する（ステップＳ４２６）とともに、当該図形のサイズを取得する（ステップＳ４２８）。
【００６５】
一方、ステップＳ４１０で除外層の条件値を読み込み、また、ステップＳ４０６で配線レイアウト情報を取得すると、それら除外層の条件値および配線レイアウト情報は、ループを検出する層たる対象層を確定する対象層の確定処理へ送られて（ステップＳ４３０）、以下に説明するステップＳ４３２の判断処理により対象層が確定される。ここで、ループを検出する層たる対象層を確定するのは、ＧＮＤ面積が大きい場合にその層をループ検出の対象から除外して、対象ネット毎のループ箇所抽出計算処理を行わないようにして処理を省くためである。
【００６６】
つまり、上記した処理により得られた除外層の条件値と配線レイアウト情報とを用いて、ループを検出する層たる対象層を確定する対象層の確定の処理を行うものであるが、この対象層の確定処理において用いる除外層の条件値の読み込みがステップＳ４１０で行われ、配線レイアウト情報の取得がステップＳ４０６で行われるものであり、読み込んだ除外層の条件値と取得した配線レイアウト情報とを用いて処理が行われる。
【００６７】
そして、読み込んだ除外層の条件値と取得した配線レイアウト情報とを用いて、層の面積率が、除外層の条件値以下であるか否かを判断する（ステップＳ４３２）。
【００６８】
このステップＳ４３２の判断処理において、層の面積率が除外層の条件値以下ではないと判断された場合には、当該層を除外層として確定する（ステップＳ４３４）。これにより、基板の層においてＧＮＤ面積が大きい場合のループ抽出を省くことができる。
【００６９】
一方、ステップＳ４３２の判断処理において、層の面積率が除外層の条件値以下であると判断された場合には、当該層を対象層として確定する（ステップＳ４３６）。
【００７０】
そして、ステップＳ４３６により確定した対象層とステップＳ４２４において確定した対象ネットとを用いて、対象ネット毎のループ箇所抽出計算処理を行う（ステップＳ４３８）。
【００７１】
ここで、上記した対象層の確定の処理について、図９に示す４層基板の例を参照しながら説明すると、１層、３層および４層は層の面積率が除外層の条件値以下であるので対象層として確定され、２層は層の面積率が除外層の条件値を超えるので除外層として確定されることになる。
【００７２】
次に、ステップＳ４３８において実行される対象ネット毎のループ箇所抽出計算処理とは、ネット毎にループを抽出する処理である。
【００７３】
ここで、図１０（ａ）（ｂ）に示すように、例えば、同一ネットが１層と２層とにあるような場合において、配線パターンにより囲われたループを閉ループ（ＣＬＯＳＥ）と称し（図１０（ａ）参照）、配線パターンにより囲われているが一部が閉じられずに開いている部分のあるループを開ループ（ＯＰＥＮ）と称することとする（図１０（ｂ）参照）。
【００７４】
そして、このステップＳ４３８における対象ネット毎のループ箇所抽出計算処理では、まず、対象層を重ねて対象ネットのループ抽出用の図形を作成することになる。
【００７５】
図１１には、１層と２層とがともに対象層とされた２層基板の例が示されており、この２層基板においては、１層と２層との２つの層を重ね合成したパターンとしてループ図形を抽出する。
【００７６】
また、図１２には、図９に示す例と同様に、２層のみを除外層とした４層基板の例が示されており、この４層基板においては、１層は重ね処理することなしに１層の単独パターンによりループ図形を抽出し、３層と４層とは２つの層を重ね処理して重ね合成したパターンとしてループ図形を抽出する。
【００７７】
こうして抽出されたループ図形が、図１０（ａ）に示すようにパターンにより囲まれて閉じられているループ図形であれば閉ループと判断され、図１０（ｂ）に示すようにパターンにより囲まれているが閉じられずに開いている部分のあるループ図形であれば開ループと判断される。
【００７８】
ここで、重ね合成したパターンとしてのループ図形の抽出において、単純に重ねるだけで１層と２層との層間におけるパターンの接続を考慮しない場合は、図１３（ａ）に示すようにループ１およびループ２はパターンに囲まれているので閉ループと判断される。
【００７９】
一方、重ね合成したパターンとしてのループ図形の抽出において、１層と２層との層間におけるパターンの接続を考慮する場合は、図１３（ｂ）に示すように１層目と２層目とがビアにより接続されているならばループ３およびループ４は閉ループとして判断されるが、図１３（ａ）のようにビアによる接続がないとループ１は閉ループと判断されず、ループ２のみ閉ループと判断される。
【００８０】
この層間の接続を考慮するか否かの設定は、ユーザーがポインティングデバイス１８や文字入力デバイス２０を用いて適宜に行うことができるようになされている。
【００８１】
また、ステップＳ４１２で除外最大最小ループサイズを読み込み、ステップＳ４３８で対象ネット毎のループ箇所抽出計算処理を行うと、それら除外最大最小ループサイズおよび対象ネット毎のループ箇所抽出計算処理結果は、ループを確定するループの確定処理へ送られて（ステップＳ４４０）、以下に説明するステップＳ４４２〜ステップＳ４５２の処理によって対象となるループ（対象ループ）が確定される。
【００８２】
つまり、上記した処理により得られた除外最大最小ループサイズと対象ネット毎のループ箇所抽出計算処理結果とを用いて、ループを確定するループの確定処理（ステップＳ４４０）を行うものであるが、このループの確定処理において用いる除外最大最小ループサイズの読み込みがステップＳ４１２で行われ、対象ネット毎のループ箇所抽出計算処理がステップＳ４３８で行われるものであり、読み込んだ除外最大最小ループサイズと対象ネット毎のループ箇所抽出計算処理結果とを用いて処理が行われる。
【００８３】
そして、読み込んだ除外最大最小ループサイズと対象ネット毎のループ箇所抽出計算処理結果とを用いて、ループのサイズが除外最大最小ループサイズの範囲に入っているか否かを判断し（ステップＳ４４２）、ループのサイズが除外最大最小ループサイズの範囲に入っていなければ当該ループを除外する（ステップＳ４４４）。
【００８４】
即ち、ステップＳ４３８により抽出されたループの面積が、除外最大最小ループサイズにおいて設定した最大ループサイズとしての指定最大面積と最小ループサイズとしての指定最小面積との範囲内であるか否かがステップＳ４４２において判断され、当該ループの面積が指定最大面積より小さい場合は当該ループは除外され、当該ループの面積が指定最小面積より大きい場合も当該ループは除外される（ステップＳ４４４）。
【００８５】
一方、ステップＳ４４２の判断処理において、ループのサイズが除外最大最小ループサイズの範囲に入っていると判断された場合には、当該ループのネットが一つであるか否かを判断する（ステップＳ４４６）。
【００８６】
このステップＳ４４６の判断処理において、当該ループのネットが一つではないと判断された場合には、複数ネットフラグを設定し（ステップＳ４４８）、その後にステップＳ４５０の処理を行う。
【００８７】
一方、ステップＳ４４６の判断処理において、当該ループのネットが一つであると判断された場合には、そのままステップＳ４５０の処理を行う。
【００８８】
このステップＳ４５０の処理においては、当該ループが閉ループであるか否かが判断される。
【００８９】
上記したステップＳ４５０の判断処理において、当該ループが閉ループではない、即ち、開ループであると判断された場合には、開ループであることを示すフラグを設定するとともにネット数を設定し（ステップＳ４５２）、ステップＳ４５４の処理へ進み当該ループを対象ループとして確定する。
【００９０】
一方、上記したステップＳ４５０の判断処理において、当該ループが閉ループであると判断された場合には、そのままステップＳ４５４の処理へ進み当該ループを対象ループとして確定する。
【００９１】
こうしてステップＳ４５４において対象ループを確定すると、確定した対象ループの面積を取得する（ステップＳ４５６）とともに、当該ループのサイズを取得する（ステップＳ４５８）。
【００９２】
それから、ステップＳ４２６で取得した確定した対象ネットを構成する図形の面積と、ステップＳ４２８で取得した確定した対象ネットを構成する図形のサイズと、ステップＳ４５６で取得した確定した対象ループの面積と、ステップＳ４５８で取得した確定した対象ループのサイズと、ステップＳ４１４で読み込んだ許容値（警告、注意）および判定閾値の指定値とを、許容値の計算処理（ステップＳ４６０）へ送る。
【００９３】
つまり、上記した処理により得られた対象ネットを構成する図形の面積、対象ネットを構成する図形のサイズ、対象ループの面積、対象ループのサイズを用いて、後述する準拠度が許容値内であるか否かを判定する許容値の計算処理（ステップＳ４６０）を行うものであるが、この許容値の計算処理において用いる許容値（警告、注意）および判定閾値の指定値の読み込みがステップＳ４１４で行われるものであり、読み込んだ許容値（警告、注意）および判定閾値の指定値が許容値の計算処理（ステップＳ４６０）へ送られる。
【００９４】
ここで、判定閾値（以下、単に「閾値」と適宜に称する。）としては、閾値１たる警告設定値（％）と閾値２たる注意設定値（％）との２種類が設定されており、これら２種類の閾値の指定値を読み込むものである。
【００９５】
なお、警告設定値（％）と注意設定値（％）との２種類の閾値の指定値はそれぞれ、ユーザーが文字入力デバイス２０などを用いて任意の値に設定することができるものである。
【００９６】
上記した許容値の計算処理（ステップＳ４６０）について、図１４を参照しながら詳細に説明する。
【００９７】
まず、許容値の計算処理（ステップＳ４６０）において使用する計算式は、「評価値＝面面積／（面面積＋ループ面積）」によって定義されるものとし、この計算式を用いて個々の対象ネットを評価する。
【００９８】
ここで、評価値とは、この計算装置で実際に探索された対象ネットのループをＥＭＣの点で評価したものである。換言すれば、この計算装置で実際に探索された対象ネットのループとＥＭＣに関する問題が考慮された理想的なループとの適合割合を表すものであり、最大値を「１」とする。
【００９９】
従って、「評価値＝１」のときに、この計算装置で実際に探索された対象ネットのループはＥＭＣに関する問題の発生の可能性が低いものであり、評価値が「１」より小さくなればなるほどそのＥＭＣに関する問題の発生の可能性は高くなる。
【０１００】
また、「評価値×１００［％］」を「準拠度」として定義するものである。従って、「準拠度」は、対象ネットのループについての各対象ネット毎の理想的なループの基準に対する適合率を意味することになる。
【０１０１】
なお、層をまたいでループを検出する場合には、ループが閉ループであるか開ループであるかに応じて、準拠度は図１５に示すように計算する。
【０１０２】
即ち、ループが閉ループであるならば、「準拠度＝面面積／（面面積＋閉ループ面積）／２×１００［％］」として計算する。また、ループが開ループであるならば、「準拠度＝（面面積／（面面積＋開ループ面積）／２＋０．５）×１００［％］」として計算する。
【０１０３】
ここで、「面面積」とは、ループを形成するネットがもつ図形の面積である。また、「ループ面積」とは、ループ検出された面積である。
【０１０４】
なお、図１４に示すエラーリスト例において、「ネット名」とは対象ネットの名称を示すものであり、「１点アース」は１点アースの有無を示すものであって、１点アースがない場合には「−」を示し、一方、１点アースがある場合には「＋」を示している。
【０１０５】
また、「ネット数」とは、ネットの合成を示すものであり、ネット数が「２」以上で１点アースをまたいだループが存在する。
【０１０６】
次に、「ループ形状開、閉」は、ループが閉じているか開いているかの判断結果を示すものであり、ループが閉じている場合には「ＣＬＯＳＥ」を示し、ループが開いている場合には「ＯＰＥＮ」を示す。
【０１０７】
また、「層位置」とは、ループが存在している層の位置を示すものであり、例えば、１層にループがある場合には「１」と示され、３層と４層とにある図形からループがある場合には「３−４」と示される。
【０１０８】
そして、許容値の計算処理（ステップＳ４６０）においては、準拠度が「警告」に該当するか、「注意」に該当するか、あるいは「合格」に該当するかを判定するために、準拠度と閾値との比較処理を行う（図１６参照）。
【０１０９】
ここで、「準拠度（％）＜警告設定値（％）」の場合には「警告」に該当し、「警告設定値（％）≦準拠度（％）＜注意設定値（％）」の場合には「注意」に該当し、「注意設定値（％）≦準拠度（％）」の場合には「合格（許容値内）」に該当するものとする。
【０１１０】
そして、上記したステップＳ４６０の処理を終了すると、準拠度と閾値との比較処理の結果が警告範囲であるか否かを判断し（ステップＳ４６２）、この比較処理の結果が警告範囲であると判断された場合には、表示装置１６の画面に表示する際に強調表示させる強調表示処理（ステップＳ４６８）を行い、上記した比較処理の結果が警告範囲ではないと判断された場合には、上記した比較処理の結果が注意範囲であるか否かを判断する（ステップＳ４６４）。
【０１１１】
そして、ステップＳ４６４の判断処理において、上記した比較処理の結果が注意範囲であると判断された場合には、表示装置１６の画面に表示する際に強調表示させる強調表示処理（ステップＳ４６８）を行い、上記した比較処理の結果が注意範囲ではないと判断された場合には、上記した比較処理の結果は許容値内にあり合格とし（ステップＳ４６６）、表示装置１６の画面に表示する際に強調表示させる強調表示処理（ステップＳ４６８）を行う。
【０１１２】
そして、強調表示処理（ステップＳ４６８）の処理結果に基づいて、表示装置１６の画面が表示される（ステップＳ４７２）。
【０１１３】
ここで、警告設定値ならびに注意設定値の設定と連動して、「警告」、「注意」ならびに「合格」の場合に表示装置１６の画面に表示する際の表示色を任意設定することが可能である。
【０１１４】
例えば、警告設定値を７０％とするとともに警告の表示色を赤色とし、注意設定値を８０％とするとともに注意の表示色を黄色とし、合格の表示色を緑色とした場合には、図９に示すように、準拠度が５０％の場合には警告が赤色表示（図１６においてハッチングで示したＬｉｎｅ１を示すパターン１参照）され、準拠度が７５％の場合には注意が黄色表示（図１６において塗りつぶしで示したＬｉｎｅ２を示すパターン２参照）され、準拠度が８５％の場合には注意が緑色表示（図１６において白抜きで示したＬｉｎｅ３を示すパターン３参照）される。
【０１１５】
なお、図１７、図１８ならびに図１９は、許容値の計算処理（ステップＳ４６０）の結果を示す画面表示の表示例であり、各ネットの「ネット名」（対象ネットの名称）毎に、「１点アース」、「ネット数」、「ループ形状  閉、開」、「層位置」、「面面積」、「ループ面積」、「準拠度」および評価（準拠度の判定結果を「警告」、「注意」あるいは「合格」で表す。）が表示される。
【０１１６】
また、上記したように、ステップＳ４１６において改善手法のガイダンスの読み込みが行われ、ループの改善手法のガイダンスの処理（ステップＳ４７０）に送られる。
【０１１７】
また、ループの改善手法のガイダンスの処理（ステップＳ４７０）には、許容値の計算処理（ステップＳ４６０）の処理結果も送られる。
【０１１８】
そして、ループの改善手法のガイダンスの処理（ステップＳ４７０）の結果として、表示装置１６にガイダンスの画面表示が行われる。
【０１１９】
これにより、設計者に設計の変更を促すことができるものであり、設計者はガイダンスの表示を確認することにより、容易に設計の変更を行うことができる。このため、プリント基板上に形成されるループの形状を検証して、十分なＥＭＣ対策を行うことができるようになる。
【０１２０】
図２０には、ループの改善手法のガイダンスの処理による画面表示の一例が示されている。この図２０に示す例においては、表示装置１６の画面にはガイダンスの表示として、「対策」に関して「１．ループ形状をなくしたパターンにして下さい」および「２．ループを形成するネットのパターンをビアなどで接続強化して下さい」とのテキスト表示がなされるとともに、こうした対策を示す図形表示がなされる。
【０１２１】
また、表示装置１６の画面には、「ルール内容」ならびに「ＳＩ＆ＥＭＣの問題点」も合わせてテキスト表示される。
【０１２２】
なお、図２１乃至図２５および図１９には、表示装置１６の画面に表示される表示例のイメージが概念的に示されている。なお、表示装置１６の画面の表示は、図２１→図２２→図２３→図２４→図２５と遷移する。
【０１２３】
図２１には、実際のパターンのＧＮＤが表示されており、１層と２層とのレイアウトが示されている。即ち、図２１においては、基板で対象ネットの層を重ねた状態が表示されることになる。
【０１２４】
そして、図２２には、ステップＳ４３８の対象ネット毎のループ箇所抽出計算処理までの工程により１層と２層とを重ねて透過した図形が示されている。即ち、図２２においては、１層と２層とにあるＧＮＤパターンをを重ねて透過した図形が示されことになる。
【０１２５】
次に、図２３には、ステップＳ４５４の対象ループとして確定までの工程により対象ループを特定した状態が示されている。即ち、図２３においては、対象ループのループ図形を検出し、対象ループを特定した状態が表示されることになる。
【０１２６】
さらに、図２４には、特定された対象ループの仕分けを行って、Ａループ、Ｂループ、ＣループおよびＤループに仕分けた状態が示されている。即ち、図２４においては、対象ループのループ図形を検出して形状ごとに分けた状態が表示されることになる。
【０１２７】
それから、図２５に示すように、Ａループ、Ｂループ、ＣループおよびＤループについての詳細が示されることになる。
【０１２８】
また、図２５には対象ループとなる各ループの詳細を表にした状態が示されており、図２６には表示装置１６の画面上における実際の表示イメージが示されている。
【０１２９】
そして、図１９には、ループ面積で計算した場合のループ評価結果が示されている。このループ評価結果によれば、ループＡおよびループＢは合格で、ループＣ、ループＤおよびループＥが警告となった。
【０１３０】
なお、上記した実施の形態は、以下に示す（１）〜（４）に説明するように変形してもよい。
【０１３１】
（１）上記した実施の形態においては、評価値をループ面積で求めるようにしたが、これに限られるものではないことは勿論であり、ループサイズで求めるようにしてもよい。この場合には、図２７に示すように、許容値の計算処理（ステップＳ４６０）において使用する計算式は、「評価値＝面サイズ／（面サイズ＋ループサイズ）」によって定義されるものとする。
【０１３２】
なお、層をまたいでループを検出する場合には、ループが閉ループであるか開ループであるかに応じて、準拠度は図２８に示すように計算する。
【０１３３】
即ち、ループが閉ループであるならば、「準拠度＝面サイズ／（面サイズ＋閉ループサイズ）／２×１００［％］」として計算する。また、ループが開ループであるならば、「準拠度＝（面サイズ／（面サイズ＋開ループサイズ）／２＋０．５）×１００［％］」として計算する。
【０１３４】
また、ループ評価結果を得るにあたって、図１４に示す面面積で求める手法と図２７に示す面サイズで求める手法との両方を用いるようにしてもよい。
【０１３５】
なお、図１８には、ループサイズで計算した場合のループ評価結果が示されている。このループ評価結果によれば、ループＡおよびループＢは合格で、ループＣ、ループＤおよびループＥが警告となった。
【０１３６】
また、図１９には、ループ面積で求める手法とループサイズで求める手法との両方を用いた場合のループ評価結果が示されている。このループ評価結果によれば、ループＡおよびループＢは合格で、ループＣ、ループＤおよびループＥが警告となった。
【０１３７】
（２）上記した実施の形態においては、改善手法のガイダンスの処理（ステップＳ４７２）において、テキスト表示と図形表示との双方を行うようにしたが、これに限られることなしに、テキスト表示と図形表示とのいずれか一方のみを行うようにしてもよい。
【０１３８】
（３）上記した実施の形態においては、改善手法のガイダンスの処理（ステップＳ４７２）において、改善手法のガイダンスを表示することにより、設計者に設計の変更を促すようにしたが、これに限られることなしに、自動的に設計変更を行うようにして、その変更内容を表示するようにしてもよい。
【０１３９】
（４）上記した実施の形態ならびに上記した（１）〜（３）に示す変形例は、適宜に組み合わせるようにしてもよい。
【産業上の利用可能性】
【０１４０】
本発明は、プリント基板におけるＥＭＣ対策に利用することができ、ＥＭＣの問題の発生を抑止することができる。
【図面の簡単な説明】
【０１４１】
【図１】図１は、ＧＮＤネットにより形成されるパターンがループ形状を備えているプリント基板の一例を示す説明図である。
【図２】図２は、本発明によるプリント基板におけるパターンのループ形状の計算装置の実施の形態の一例のシステム構成を表すブロック構成図である。
【図３】図３は、本発明によるプリント基板におけるパターンのループ形状の計算装置によって実行される処理の概要を示すフローチャートである。
【図４】図４は、本発明によるプリント基板におけるパターンのループ形状の計算装置によって実行される処理の詳細を示すフローチャートである。
【図５】図５は、本発明によるプリント基板におけるパターンのループ形状の計算装置によって実行される処理の詳細を示すフローチャートである。
【図６】図６は、対象ネットの選定に際して表示装置に表示される表示例を示すイメージ図である。
【図７】図７（ａ）は、プリント基板のレイアウトの一例を示す説明図であり、図７（ｂ）は、図７（ａ）における２つのＧＮＤパターンであるＧＮＤ１とＧＮＤ２とを合成した場合のイメージ図であり、図７（ｃ）は、表示装置に表示されるメッセージを示すイメージ図である。
【図８】図８は、対象ネットの確定の処理についての説明図である。
【図９】図９は、対象層の確定の処理についての説明図である。
【図１０】図１０（ａ）は閉ループに関する説明図であり、図１０（ｂ）は開ループに関する説明図である。
【図１１】図１１は、２層基板におけるループ図形の抽出の処理についての説明図である。
【図１２】図１２は、４層基板におけるループ図形の抽出の処理についての説明図である。
【図１３】図１３（ａ）（ｂ）は、重ね合成したパターンとしてのループ図形の抽出の処理についての説明図である。
【図１４】図１４は、許容値の計算処理に関する説明図である。
【図１５】図１５は、準拠度の計算処理に関する説明図である。
【図１６】図１６は、閾値ならびに許容値に関する説明図である。
【図１７】図１７は、ループ面積で計算した場合のループ評価結果が表示装置の画面に表示される表示例である。
【図１８】図１８は、ループサイズで計算した場合のループ評価結果が表示装置の画面に表示される表示例である。
【図１９】図１９は、ループ面積とループサイズとの両方を用いて計算した場合のループ評価結果が表示装置の画面に表示される表示例である。
【図２０】図２０は、ループの改善手法のガイダンスの処理による画面表示の一例を示す説明図である。
【図２１】図２１は、表示装置の画面に表示される表示例を概念的に示す説明図である。
【図２２】図２２は、表示装置の画面に表示される表示例を概念的に示す説明図である。
【図２３】図２３は、表示装置の画面に表示される表示例を概念的に示す説明図である。
【図２４】図２４は、表示装置の画面に表示される表示例を概念的に示す説明図である。
【図２５】図２５は、対象ループとなる各ループの詳細を表にした状態の表示例を概念的に示す説明図である。
【図２６】図２６は、表示装置の画面上における実際の表示イメージを示す説明図である。
【図２７】図２７は、許容値の計算処理に関する他の例の説明図である。
【図２８】図２８は、準拠度の計算処理に関する他の例の説明図である。
【符号の説明】
【０１４２】
１０              中央処理装置（ＣＰＵ）
１２              バス
１４              内部記憶装置
１６              表示装置
１８              ポインティングデバイス
２０              文字入力デバイス
２２              外部記憶装置
【図２】
2007328463.tif 000003
【図３】
2007328463.tif 000004
【図４】
2007328463.tif 000005
【図５】
2007328463.tif 000006
【図６】
2007328463.tif 000007
【図８】
2007328463.tif 000008
【図１４】
2007328463.tif 000009
【図１７】
2007328463.tif 000010
【図１８】
2007328463.tif 000011
【図１９】
2007328463.tif 000012
【図２７】
2007328463.tif 000013
【図１】
2007328463.tif 000014
【図７】
2007328463.tif 000015
【図９】
2007328463.tif 000016
【図１０】
2007328463.tif 000017
【図１１】
2007328463.tif 000018
【図１２】
2007328463.tif 000019
【図１３】
2007328463.tif 000020
【図１５】
2007328463.tif 000021
【図１６】
2007328463.tif 000022
【図２０】
2007328463.tif 000023
【図２１】
2007328463.tif 000024
【図２２】
2007328463.tif 000025
【図２３】
2007328463.tif 000026
【図２４】
2007328463.tif 000027
【図２５】
2007328463.tif 000028
【図２６】
2007328463.tif 000029
【図２８】
2007328463.tif 000030